(57)【要約】【課題】  ネジを上方から回動操作することができて、筒体状のコンデンサを取り付ける作業が容易になり、かつ、コンデンサを保持する樹脂ブラケットを成型する金型の構造が簡単で、コストのかからない電子機器筐体のコンデンサ固定構造を提供する。【解決手段】  コンデンサ取付構造は、ブラケットが、外枠部と、コンデンサの筒体部に対応する円孔を規定して筒体部に当接する保持部と、保持部から円孔とは反対側に突出するように延設される梁部と、梁部から延設されてシャーシに対してネジで固定されるネジ止め部と、を有し、ネジ止め部の底面がネジでシャーシに対して固定される状態では、梁部が変形して保持部の上面端部側に応力を作用させて保持部を変形させ、保持部がコンデンサの筒体部と当接してコンデンサを保持する。【選択図】  図２
2012156402.tif 000002
【特許請求の範囲】
【請求項１】
コンデンサと、該コンデンサの筒体部をシャーシに対して保持するブラケットと、該ブラケットを該シャーシに固定するネジと、を備える電子機器筐体のコンデンサ取付構造であって、
該ブラケットが、該ブラケットの外形を規定して該シャーシに対して固定される外枠部と、該コンデンサの該筒体部に対応する円孔を規定して該筒体部に当接することで該コンデンサを保持する保持部と、該保持部から該円孔とは反対側に突出するように延設される梁部と、該梁部から延設されて該シャーシに対して該ネジで固定されるネジ止め部と、を有し、
該保持部の上面端部側から斜め上方側に延設される該ブラケットの該梁部が、該ネジ止め部の上面端部側に連結し、
該ネジ止め部が該ネジで固定されない状態では、該ネジ止め部の底面が該シャーシに対して離間するとともに、該保持部が変形することなく該コンデンサの該筒体部と離間し、
該ネジ止め部の該底面が該ネジで該シャーシに対して固定される状態では、該梁部が変形して該保持部の上面端部側に応力を作用させて該保持部を変形させ、該保持部が該コンデンサの該筒体部と当接して該コンデンサを保持する、
電子機器筐体のコンデンサ取付構造。
【請求項２】
前記ブラケットの前記ネジ止め部の前記底面が、前記ネジで固定されない状態では、前記シャーシと離間するように前記外枠部との間に段差を形成する、
請求項１に記載の電子機器筐体のコンデンサ取付構造。
【請求項３】
前記ブラケットの前記保持部が、複数の前記コンデンサに対応する複数の前記円孔を規定するように複数形成され、前記外枠部の中央側に形成される１つの前記ネジ止め部が、複数の前記梁部により複数の該保持部と連結する、
請求項１または２に記載の電子機器筐体のコンデンサ取付構造。
【請求項４】
前記ブラケットの前記外枠部の一部が、前記保持部とともに前記円孔を規定する、
請求項1から３のいずれかに記載の電子機器筐体のコンデンサ取付構造。
【請求項５】
請求項１から４のいずれかに記載の電子機器筐体のコンデンサ取付構造を含む、電子機器または映像音響機器。
【発明の詳細な説明】
【技術分野】
【０００１】
本発明は、筒体状の部分を有するコンデンサを、電子機器または映像音響機器等の回路部品を取り付ける電子機器筐体のシャーシに固定する構造に関し、特に、大型のケミカルコンデンサ等を含む回路を有する増幅器等に用いるコンデンサ固定構造に関する。
【背景技術】
【０００２】
音声信号を増幅する増幅器等の映像音響機器では、大型の筒体状のコンデンサを回路部品に含む場合がある。コンデンサは、筒体の一方端に設けられる接続端子を介して基板に電気的に接続されることで、同時に基板に対して機械的に固定される。しかしながら、これらの映像音響機器では、コンデンサの電極を含む筒体状の部分を支えるために、樹脂のブラケット等を含むコンデンサ固定構造を採用する場合がある。電子機器筐体のコンデンサ固定構造では、コンデンサは複数用いられる場合が多いので、取り付け作業の容易な共通のブラケットを用いることで、取り付けに要する工数、または、製造に要するコストがより少ないことが望ましい。
【０００３】
従来には、内部にコンデンサが立設されるシャーシが、左右方向に関して対向する２枚の側板を有し、両側板に、シャーシ内に突設される取付部が切り起こされて、その切り起こし跡に開口部が形成され、取付部に、両側板間に渡設される固定体が固定されて、この固定体に、コンデンサ上部が挿通される挿通孔と、内周面が挿通孔の一部を形成するバンドが形成され、バンドに、バンドを緊締することでコンデンサを固定する締結具が挿通されたものにおいて、締結具がバンドに左右方向に挿通され、締結具の操作部が側板の上記開口部と側面視において同一位置に配設されて、上記開口部が、締結具を側板の外側方から操作するための開口部とされたことを特徴とするコンデンサ固定装置がある（特許文献１）。
【０００４】
また、従来には、保持体(1) 内部に、夫々円弧状壁面を有する第１、第２の固定部(2、3)によってコンデンサ挿入空間が形成されるとともに、先端に傾斜面を有し且つ略中心部に第１のビス挿入孔(5a)を有する突出片(5)が設けられる板部(4)が形成され、第１、第２の固定部(2、3)の円弧状壁面と夫々対応した第１、第２の円弧部(8a、8b)を有する係止片(8)が、コンデンサ挿入空間側の保持体(1)壁面に可撓性をもって連結され、突出片(5)の傾斜面と相対する傾斜面を有し且つこの傾斜面に対する前後方向に遊びをもってビス(13)が挿入されるビス遊挿孔(10a) を有する楔片(10)が、係止片(8)に連結されており、第１、第２のコンデンサ(15 、16)を夫々第１、第２の固定部(2、3)の円弧状壁面に当接させてコンデンサ挿入空間に挿入し、更に係止片(8)の第１、第２の円弧部(8a 、8b)を夫々第１、第２のコンデンサ(15、16)に当接させ、突出片(5)の傾斜面と楔片(10)の傾斜面とを当接させて、楔片(10)から突出片(5) を介してシャーシ等の取付面(13)にビス止めすることにより、第１、第２のコンデンサ(15 、16) が夫々第１、第２の固定部(2、3)と係止片(8)とに挟持されて固定されることを特徴とするコンデンサ固定装置がある（特許文献２）。
【先行技術文献】
【特許文献】
【０００５】
【特許文献１】実開平４−１２５４３４号公報  （第１図〜第６図）
【特許文献２】実開平７−２２５３２号公報  （第１図〜第６図）
【０００６】
ただし、特許文献１のような従来のコンデンサの固定手段では、コンデンサ結束バンドの締付作業において、締結するネジが横方向に取り付けられるため、ドライバーを横に寝かせて回動してネジを締め付けなければならない点で、取り付けに要する作業が困難になり、作業工数が増すという問題がある。また、特許文献２のような従来のコンデンサの固定手段では、コンデンサを固定する際に、固定用のネジを上方から回動操作することができる利点を有するものの、樹脂で成型する部品が精巧になり、成型する金型の構造が複雑になってコスト増加要因になるという問題がある。
【発明の概要】
【発明が解決しようとする課題】
【０００７】
本発明は、上記の従来技術が有する問題を解決するためになされたものであり、その目的は、電子機器筐体のコンデンサ固定構造およびこれを用いる電子機器または映像音響機器に関し、ネジを上方から回動操作することができて、筒体状のコンデンサを取り付ける作業が容易になり、かつ、コンデンサを保持する樹脂ブラケットを成型する金型の構造が簡単で、コストのかからない電子機器筐体のコンデンサ固定構造を提供することにある。
【課題を解決するための手段】
【０００８】
本発明の電子機器筐体のコンデンサ固定構造は、コンデンサと、コンデンサの筒体部をシャーシに対して保持するブラケットと、ブラケットをシャーシに固定するネジと、を備える電子機器筐体のコンデンサ取付構造であって、ブラケットが、ブラケットの外形を規定してシャーシに対して固定される外枠部と、コンデンサの筒体部に対応する円孔を規定して筒体部に当接することでコンデンサを保持する保持部と、保持部から円孔とは反対側に突出するように延設される梁部と、梁部から延設されてシャーシに対してネジで固定されるネジ止め部と、を有し、保持部の上面端部側から斜め上方側に延設されるブラケットの梁部が、ネジ止め部の上面端部側に連結し、ネジ止め部がネジで固定されない状態では、ネジ止め部の底面がシャーシに対して離間するとともに、保持部が変形することなくコンデンサの筒体部と離間し、ネジ止め部の底面がネジでシャーシに対して固定される状態では、梁部が変形して保持部の上面端部側に応力を作用させて保持部を変形させ、保持部がコンデンサの筒体部と当接してコンデンサを保持する。
【０００９】
また、本発明の電子機器筐体のコンデンサ固定構造は、ブラケットのネジ止め部の底面が、ネジで固定されない状態では、シャーシと離間するように外枠部との間に段差を形成する。
【００１０】
好ましくは、本発明の電子機器筐体のコンデンサ固定構造は、ブラケットの保持部が、複数のコンデンサに対応する複数の円孔を規定するように複数形成され、外枠部の中央側に形成される１つのネジ止め部が、複数の梁部により複数の保持部と連結する。
【００１１】
好ましくは、本発明の電子機器筐体のコンデンサ固定構造は、ブラケットの外枠部の一部が、保持部とともに円孔を規定する。
【００１２】
また、本発明の電子機器または映像音響機器は、上記の電子機器筐体のコンデンサ取付構造を含む。
【００１３】
以下、本発明の作用について説明する。
【００１４】
本発明の電子機器筐体のコンデンサ固定構造は、コンデンサと、コンデンサの筒体部をシャーシに対して保持するブラケットと、ブラケットをシャーシに固定するネジと、を備える。この電子機器筐体のコンデンサ取付構造では、１つのブラケットが樹脂により形成され、ブラケットは、複数のコンデンサに対応してこれらをシャーシに対して保持することができる。ブラケットは、シャーシに対して上方から回動操作するネジにより固定される。
【００１５】
ブラケットは、ブラケットの外形を規定してシャーシに対してネジまたは他の手段によりで固定される外枠部と、コンデンサの筒体部に対応する円孔を規定して筒体部に当接することでコンデンサを保持する保持部と、保持部から円孔とは反対側に突出するように延設される梁部と、梁部から延設されてシャーシに対してネジで固定されるネジ止め部と、を有する。ブラケットの保持部が、複数のコンデンサに対応する複数の円孔を規定するように複数形成される場合には、外枠部の中央側に形成される１つのネジ止め部が、複数の梁部により複数の保持部と連結する。なお、ブラケットの外枠部の一部が、保持部とともに円孔を規定していてもよく、その場合にはブラケットの外枠部の寸法を小さくすることができる。
【００１６】
ブラケットの梁部は、保持部の上面端部側から斜め上方側に延設されて、ネジ止め部の上面端部側に連結するようになっている。そして、ブラケットのネジ止め部が、シャーシに対してネジで固定されない状態では、保持部が変形することなくコンデンサの筒体部と離間し、ネジ止め部の底面がシャーシに対して離間する。
【００１７】
一方で、上方から回動操作される１つのネジにより、ブラケットのネジ止め部の底面がシャーシに対して固定されると、その状態では、ブラケットの梁部が変形して保持部の上面端部側に応力を作用させて保持部を変形させる。この保持部を変形させる応力は、保持部の上面端部側を回転させる方向に捻る力として加わるので、コンデンサの筒体部と離間していた保持部をコンデンサの筒体部と当接させる。その結果、コンデンサの筒体部が、ブラケットの保持部により保持されて固定される。
【００１８】
好ましくは、ブラケットのネジ止め部の底面が、ネジで固定されない状態では、シャーシと離間するように外枠部との間に段差を形成するようにすればよい。所定の段差を形成することで、ブラケットのネジ止め部が移動する距離が規定されて、その結果、ブラケットの梁部が後述するような所定の変形をするように規定できる。
【００１９】
この様に、このブラケットを用いるコンデンサ固定構造は、コンデンサの筒体部と当接する保持部から円孔とは反対側に突出するように延設される梁部の形状を工夫することにより、この梁部から延設されてシャーシに対してネジで固定されるネジ止め部をネジ止めするだけで、コンデンサを固定することが出来る。
【発明の効果】
【００２０】
本発明の電子機器筐体のコンデンサ固定構造は、ネジを上方から回動操作することができて、筒体状のコンデンサを取り付ける作業が容易になる。また、コンデンサを保持する樹脂ブラケットを成型する金型の構造が簡単になるので、コストのかからない電子機器筐体のコンデンサ固定構造を実現できる。
【図面の簡単な説明】
【００２１】
【図１】本発明の好ましい実施形態による電子機器筐体のコンデンサ固定構造（固定後）を説明する斜視図である。（実施例１）
【図２】本発明の好ましい実施形態による電子機器筐体のコンデンサ固定構造（固定後）を説明する断面図である。（実施例１）
【図３】本発明の好ましい実施形態による電子機器筐体のコンデンサ固定構造（固定前）を説明する展開斜視図である。（実施例１）
【図４】本発明の好ましい実施形態による電子機器筐体のコンデンサ固定構造（固定前）を説明する断面図である。（実施例１）
【発明を実施するための形態】
【００２２】
以下、本発明の好ましい実施形態による電子機器筐体のコンデンサ固定構造について説明するが、本発明はこれらの実施形態には限定されない。
【実施例１】
【００２３】
図１〜図４は、本発明の好ましい実施形態による電子機器筐体のコンデンサ固定構造１を説明する図である。具体的には、図１は、コンデンサ３を固定した状態を説明する斜視図であり、図２は、コンデンサ３を固定した状態を説明する断面図である。また、図３は、コンデンサ３を固定する前の状態を説明する展開斜視図であり、図４は、コンデンサ３を固定する前の状態を説明する断面図である。このコンデンサ固定構造１を含む電子機器筐体は、具体的には音声信号を増幅する増幅器（図示しない）である。なお、図を分かりやすくするために、（図示しない）増幅器の全体構成と、コンデンサ固定構造１の説明に不要な一部の構成の図示を省略している。
【００２４】
コンデンサ固定構造１は、４つのコンデンサ３を金属製のシャーシ２に対してブラケット１０を介して取り付ける構造である。シャーシ２の底面側には、コンデンサ３が電気的に接続される基板５が配置されている。基板５は、図示しない部分でシャーシ２に連結して、シャーシ２との相対的な位置を位置決めされている。コンデンサ３は、コンデンサの電極を含む筒体部３０と、筒体部３０の底面側に設けられる接続端子３１を備え、２つの接続端子３１を介して基板５に機械的に固定される。一方、シャーシ２にはコンデンサ３の筒体部３０が貫通する貫通孔が設けられており、ブラケット１０を５つのネジ４でシャーシ２に取り付けることで、コンデンサ３の筒体部３０を固定する。
【００２５】
ブラケット１０は、樹脂で形成される部品であって、ブラケット１０の矩形状の外形を規定する外枠部１１と、円孔を規定してコンデンサ３を保持する保持部１２と、保持部１２から円孔とは反対側に突出するように延設される梁部１３と、梁部１３から延設されてシャーシ２に対してネジ４で固定されるネジ止め部１４と、を有する。外枠部１１には４つのネジ４の軸部分が貫通する４つの穴部が設けられており、外枠部１１はネジ４によりシャーシ２に対して固定される。
【００２６】
保持部１２は、コンデンサ３の筒体部３０に対応する円孔を規定して筒体部３０に当接することでコンデンサ３を保持する。外枠部１１の内部側には、保持部１２により４つの円孔が規定され、外枠部１１の一部も４つの円孔を規定している。円孔の直径寸法は、コンデンサ３の筒体部３０よりも若干大きくされており、保持部１２が変形しなければ、コンデンサ３の筒体部３０と離間する寸法を有している。４つの保持部１２は、外枠部１１の中央側においてそれぞれ円弧状の梁を形成しており、延設された梁部１３によって連結する１つのネジ止め部１４が、外枠部１１の中心部分に配置される。
【００２７】
ブラケット１０の梁部１３は、コンデンサ３の筒体部３０に当接する保持部１２から円孔とは反対側の中央側に突出するように延設される梁である。梁部１３は、図３および図４に示すように、ネジ４により固定される前は、保持部１２の上面端部側から斜め上方側に延設されて、ネジ止め部１４の上面端部側に連結するようになっている。本実施例の梁部１３は、同形状の斜め上方側に延設される一対の２つの梁によって構成されている。
【００２８】
また、ネジ止め部１４は、梁部１３が連結する４つの平面によって囲われた空間を規定する凹状の部分である。ネジ止め部１４の底面１５には、ネジ４が貫通する貫通孔が形成されている。ネジ止め部１４は、シャーシ２に対してネジ４で固定されない状態では、その底面１５がシャーシ２に対して離間するような高さを有する。つまり、ネジ止め部１４は、保持部１２の上面端部側から斜め上方側に延設される梁部１３によって、その底面１５が持ち上げられる様になる。したがって、ネジ止め部１４がシャーシ２に対してネジ４で固定されない状態では、ネジ止め部１４の底面１５がシャーシ２に対して離間する。
【００２９】
図３および図４を参照して、ブラケット１０をシャーシ２に対してネジ４で固定する前の状態を説明する。コンデンサ固定構造１では、最初に４つのコンデンサ３の接続端子３１を、シャーシ２の底面側に配置される基板５に固定する。その結果、コンデンサ３の筒体部３０がシャーシ２の円孔から突出するように位置決めされるので、図３に示すようにブラケット１０をコンデンサ３に上側から被せるようにして、シャーシ２に対して配置する。
【００３０】
次に、ブラケット１０の外枠部１１に対応する４つのネジ４をシャーシ２に螺合させると、その結果、図４に示すように、ブラケット１０の外枠部１１がシャーシ２に当接し、保持部１２の上面端部側から斜め上方側に延設される梁部１３によって支えられるネジ止め部１４は、その底面１５がシャーシ２に対して離間する。また、保持部１２は、円孔の寸法の設定によって、コンデンサ３の筒体部３０と離間する。なお、図４では、外枠部１１に対応する４つのネジ４の図示を省略している。また、これらのネジ４は、全て上方から回動操作することができる。
【００３１】
次に、図１および図２を参照して、ブラケット１０をシャーシ２に対してネジ４で固定した状態を説明する。コンデンサ固定構造１では、ブラケット１０の外枠部１１をネジ４で固定した後に、中央側のネジ止め部１４の一箇所に対応するネジ４をシャーシ２に螺合させて、ネジ止め部１４の底面１５をシャーシ２に対して固定する。図示するように、このネジ４も上方から回動操作することができる。
【００３２】
ネジ止め部１４に対応するシャーシ２に螺合したネジ４は、図２に図示するように、ネジ止め部１４を下側に変位させる力を作用させるので、ブラケット１０の梁部１３にもそのネジ止め部１４側の端部を下側へ変形するような応力が作用する。梁部１３は、応力が作用しない場合には保持部１２の上面端部側から斜め上方側に延設される形状になっているので、この応力が作用する場合には保持部１２の上面端部側に、保持部１２の円弧状の梁を回転させるような応力を作用させて、保持部１２を捻るように変形させる。その結果、図２に図示するように、保持部１２が規定する円孔の直径が保持部１２の下側部で小さくなり、コンデンサ３の筒体部３０が変形した保持部１２に当接し、コンデンサ３が保持されて、シャーシ２に対して固定される。
【００３３】
本実施例のコンデンサ固定構造１では、ブラケット１０のネジ止め部１４の底面１５が、ネジ４で固定されない状態では、シャーシ２と離間するように外枠部１１との間に段差を形成するようなっているので、ブラケット１０のネジ止め部１４が移動する距離が規定されて、その結果、ブラケット１０の梁部１３が保持部１２を所定の変形をするようにでき、保持部１２によってコンデンサ３を保持することが出来る。実質的に１つのネジ４を固定する作業のみで４つのコンデンサ３を固定することができる。また、ネジ止め部１４に対応するネジを含む全てのネジ４が上方から回動操作することができるので、筒体状のコンデンサ３を取り付ける作業が容易になる。また、樹脂で成型するブラケット１０は、極めて簡単な構造で成型する金型の構造も簡単になるので、コンデンサ固定構造１のコスト低減を図ることが出来る。
【００３４】
なお、本発明は上記実施例に限定されない。ブラケット１０が固定するコンデンサ３は、４つの場合に限らず他の複数の場合でも良く、もちろん、１つのコンデンサ３を固定する構造にも利用可能である。また、シャーシ２とブラケット１０とを固定するネジ４のうち、外枠部１１に対応するネジ４は、カシメや他の係合手段、あるいは、接着剤を使った接着で代用しても良い。
【００３５】
また、上記実施例では、ブラケット１０の外枠部１１の寸法を小さくすることができるように、外枠部１１の一部が、保持部１２とともに円孔を規定するように形成されているが、外枠部１１は、シャーシ２に対して固定されるブラケット１０の構造部分であれば、保持部１２とともに円孔を規定しない形状寸法の構造であっても良い。
【産業上の利用可能性】
【００３６】
本発明のコンデンサ固定構造は、音声信号を増幅する増幅器等の映像音響機器のみならず、他の映像音響機器又は電子計算機等の機器のコンデンサ固定構造にも適用が可能である。
【符号の説明】
【００３７】
１            コンデンサ固定構造
２            シャーシ
３            コンデンサ
４            ネジ
５            基板
１０          ブラケット
１１          外枠部
１２          保持部
１３          梁部
１４          ネジ止め部
１５          底面
【図１】
2012156402.tif 000003
【図２】
2012156402.tif 000004
【図３】
2012156402.tif 000005
【図４】
2012156402.tif 000006